(57)【要約】【課題】ネットワークリソースを占有することなく、受け取る側の属性や嗜好などに合致する広告を効率的に提供する。【解決手段】サービス管理サーバ２は、広告端末１から広告情報を受信すると、通信端末３−１〜３−３毎に予め記憶しておいた、利用者の属性、嗜好、および広告情報に含まれる広告内容に従って、最も合致度の高い利用者の通信端末に広告情報を送信する。通信端末３−１〜３−３は、通信履歴から予め抽出された嗜好キーワードの出現率（または出現回数）が、広告情報に含まれる表示条件を満たしていれば、受信した広告情報を表示する。また、条件を満たしていない場合には、他の通信端末の嗜好キーワードの出現率（または出現回数）が、広告情報に含まれる転送条件を満足すれば、他の通信端末に広告情報を転送する。【選択図】図１
2008134951.tif 000002
【特許請求の範囲】
【請求項１】
サーバ装置からネットワークを介して複数の通信端末に広告情報を提供する広告提供方法であって、
前記サーバ装置は、
少なくとも、広告内容、表示条件を含む広告情報を受信するステップと、
前記複数の通信端末の各々の利用者の属性・嗜好情報を属性・嗜好情報記憶手段に記憶するステップと、
前記属性・嗜好情報記憶手段から複数の通信端末の各々の利用者の属性・嗜好情報を読み出し、前記読み出した複数の通信端末の各々の利用者の属性・嗜好情報と、前記受信した広告情報の広告内容とを比較するステップと、
前記比較結果に基づいて最も高い合致度が得られた通信端末を選択するステップと、
前記選択された通信端末に対して前記広告情報を送信するステップとを含み、
前記複数の通信端末は、
通信端末毎に過去の通信内容に基づいて抽出された表示可能条件を表示可能条件記憶手段に記憶するステップと、
前記サーバ装置からの広告情報を受信するステップと、
前記表示可能条件記憶手段から表示可能条件を読み出し、前記読み出した表示可能条件が前記受信した広告情報の表示条件を満足しているかを判定するステップと、
前記表示可能条件が前記広告情報の表示条件を満足している場合、前記広告情報を表示するステップとを含むことを特徴とする広告提供方法。
【請求項２】
前記広告情報は、ある通信端末から他の通信端末へ広告情報を転送する際の転送条件を更に含み、
前記複数の通信端末は、
他の通信端末に受信した広告情報を転送可能であるか否かを示す転送可能条件を転送可能条件記憶手段に記憶するステップと、
他の通信端末との通信開始があるか否かを判定するステップと、
他の通信端末との通信開始がある場合に、前記転送可能条件記憶手段から転送可能条件を読み出し、前記読み出した他の通信端末の転送可能条件が前記広告情報の転送条件を満足しているかを判定するステップと、
前記他の通信端末の転送可能条件が前記広告情報の転送条件を満足している場合、前記広告情報を前記他の通信端末に転送するステップと
を更に含むことを特徴とする請求項１記載の広告提供方法。
【請求項３】
前記広告情報は、ある通信端末から他の通信端末への広告情報の転送回数を更に含み、
前記複数の通信端末は、
前記他の通信端末に前記広告情報を転送する度に、前記広告情報の転送回数を減じるステップと、
前記広告情報の転送回数が転送可能な回数である場合に、前記他の通信端末に前記広告情報を転送するステップと
を更に含むことを特徴とする請求項２記載の広告提供方法。
【請求項４】
ネットワークを介してアクセスする複数の通信端末に対してサーバ装置から広告情報を提供する広告提供方法であって、
前記サーバ装置は、
少なくとも、広告内容、表示条件を含む広告情報を受信するステップと、
前記複数の通信端末の各々の利用者の属性・嗜好情報を属性・嗜好情報記憶手段に記憶するステップと、
通信端末毎に過去の通信内容に基づいて抽出された表示可能条件を表示可能条件記憶手段に記憶するステップと、
前記属性・嗜好情報記憶手段から複数の通信端末の各々の利用者の属性・嗜好情報を読み出し、前記読み出した複数の通信端末の各々の利用者の属性・嗜好情報と、前記受信した広告情報の広告内容とを比較するステップと、
前記比較結果に基づいて最も高い合致度が得られた通信端末を選択するステップと、
前記選択された通信端末の表示可能条件が前記広告情報の表示条件を満足しているかを判定するステップと、
前記表示可能条件が前記広告情報の表示条件を満足している場合、前記選択された通信端末に対して前記広告情報を表示させるステップと
を含むことを特徴とする広告提供方法。
【請求項５】
前記広告情報は、ある通信端末から他の通信端末へ広告情報を転送する際の転送条件を更に含み、
前記サーバ装置は、
前記複数の通信端末の各々に対して広告情報を転送可能であるか否かを示す転送可能条件を記憶するステップと、
通信端末間での通信があるか否かを判定するステップと、
通信端末間での通信がある場合に、通信相手の通信端末の転送可能条件が前記広告情報の転送条件を満足しているかを判定するステップと、
前記通信相手の通信端末の転送可能条件が前記広告情報の転送条件を満足している場合、前記広告情報を前記他の通信端末に転送するステップと
を更に含むことを特徴とする請求項４記載の広告提供方法。
【請求項６】
前記広告情報は、ある通信端末から他の通信端末への広告情報の転送回数を更に含み、
前記サーバ装置は、
前記通信相手の通信端末に前記広告情報を転送する度に、前記広告情報の転送回数を減じるステップと、
前記広告情報の転送回数が転送可能な回数である場合に、前記通信相手の通信端末に前記広告情報を転送するステップと
を更に含むことを特徴とする請求項５記載の広告提供方法。
【請求項７】
前記表示可能条件は、前記複数の通信端末の各々の通信履歴に基づいて抽出された、通信端末の各々の利用者の属性、嗜好に基づくキーワードの出現率または出現回数を含むことを特徴とする請求項１乃至６のいずれかに記載の広告提供方法。
【請求項８】
前記転送可能条件は、前記複数の通信端末の各々の通信履歴に基づいて抽出された、通信端末の各々の利用者の属性、嗜好に基づくキーワードの出現率または出現回数を含むことを特徴とする請求項１乃至６のいずれかに記載の広告提供方法。
【請求項９】
サーバ装置からネットワークを介して複数の通信端末に広告情報を提供する広告提供システムであって、
前記サーバ装置は、
少なくとも、広告内容、表示条件を含む広告情報を受信する第１の受信手段と、
前記複数の通信端末の各々の利用者の属性・嗜好情報を記憶する属性・嗜好情報記憶手段と、
前記属性・嗜好情報記憶手段から複数の通信端末の各々の利用者の属性・嗜好情報を読み出し、前記読み出した複数の通信端末の各々の利用者の属性・嗜好情報と、前記第１の受信手段が受信した広告情報の広告内容とを比較する比較手段と、
前記比較手段による比較結果に基づいて最も高い合致度が得られた通信端末を選択する選択手段と、
前記選択手段により選択された通信端末に対して前記広告情報を送信する送信手段と
を具備し、
前記複数の通信端末は、
通信端末毎に過去の通信内容に基づいて抽出された表示可能条件を記憶する表示可能条件記憶手段と、
前記サーバ装置からの広告情報を受信する第２の受信手段と、
前記表示可能条件記憶手段から表示可能条件を読み出し、前記読み出した表示可能条件が前記第２の受信手段が受信した広告情報の表示条件を満足しているかを判定する判定手段と、
前記表示可能条件が前記広告情報の表示条件を満足している場合、前記広告情報を表示する表示制御手段と
を具備することを特徴とする広告提供システム。
【請求項１０】
ネットワークを介してアクセスする複数の通信端末に対してサーバ装置から広告情報を提供する広告提供システムであって、
前記サーバ装置は、
少なくとも、広告内容、表示条件を含む広告情報を受信する受信手段と、
前記複数の通信端末の各々の利用者の属性・嗜好情報を記憶する属性・嗜好情報記憶手段と、
通信端末毎に過去の通信内容に基づいて抽出された表示可能条件を記憶する表示可能条件記憶手段と、
前記属性・嗜好情報記憶手段から複数の通信端末の各々の利用者の属性・嗜好情報を読み出し、前記読み出した複数の通信端末の各々の利用者の属性・嗜好情報と、前記受信手段が受信した広告情報の広告内容とを比較する比較手段と、
前記比較結果に基づいて最も高い合致度が得られた通信端末を選択する選択手段と、
前記選択された通信端末の表示可能条件が前記広告情報の表示条件を満足しているかを判定する判定手段と、
前記表示可能条件が前記広告情報の表示条件を満足している場合、前記選択された通信端末に対して前記広告情報を表示させる表示制御手段と
を具備することを特徴とする広告提供システム。
【発明の詳細な説明】
【技術分野】
【０００１】
本発明は、ネットワークを介した通信端末間のコミュニケーションを利用して通信端末から通信端末へ広告情報を提供する広告提供方法および広告提供システムに関する。
【背景技術】
【０００２】
インターネットを用いた広告方法は、種々が実在しており、通信端末がインターネット経由でホームページにアクセスした場合に無条件に表示されるバナー広告は広く使用されており公知である。また、従来技術として、特許文献１に見られるように、広告情報をサーバで保持し、紹介者端末の指示に基づいて、サーバから被紹介者端末へ広告情報を送信する広告システムがある。また、ホームページから広告情報を取得した端末が無条件に相手端末へ送信する広告方法などがある。
【特許文献１】特開２００３−２８１４４５号公報
【発明の開示】
【発明が解決しようとする課題】
【０００３】
上述した従来技術による、インターネットを用いた広告は、受信者側の意思や嗜好と関係なく送信され表示されるため、広告主にとっては、多くの広告に埋もれてしまい、見てほしいユーザに絞った広告ができないため非効率であり、通信事業者にとっては、無意味な広告情報が大量にネットワークリソースを使用するため非効率であり、受信者にとっては必要のない広告が大量に表示されて迷惑であるという問題がある。
【０００４】
本発明は、このような事情を考慮してなされたものであり、ネットワークリソースを占有することなく、受け取る側の属性や嗜好などに合致する広告を効率的に提供することができる広告提供方法および広告提供システムを提供することにある。
【課題を解決するための手段】
【０００５】
上述した課題を解決するために、本発明は、サーバ装置からネットワークを介して複数の通信端末に広告情報を提供する広告提供方法であって、前記サーバ装置は、少なくとも、広告内容、表示条件を含む広告情報を受信するステップと、前記複数の通信端末の各々の利用者の属性・嗜好情報を属性・嗜好情報記憶手段に記憶するステップと、前記属性・嗜好情報記憶手段から複数の通信端末の各々の利用者の属性・嗜好情報を読み出し、前記読み出した複数の通信端末の各々の利用者の属性・嗜好情報と、前記受信した広告情報の広告内容とを比較するステップと、前記比較結果に基づいて最も高い合致度が得られた通信端末を選択するステップと、前記選択された通信端末に対して前記広告情報を送信するステップとを含み、前記複数の通信端末は、通信端末毎に過去の通信内容に基づいて抽出された表示可能条件を表示可能条件記憶手段に記憶するステップと、前記サーバ装置からの広告情報を受信するステップと、前記表示可能条件記憶手段から表示可能条件を読み出し、前記読み出した表示可能条件が前記受信した広告情報の表示条件を満足しているかを判定するステップと、前記表示可能条件が前記広告情報の表示条件を満足している場合、前記広告情報を表示するステップとを含むことを特徴とする。
【０００６】
本発明は、上記の発明において、前記広告情報は、ある通信端末から他の通信端末へ広告情報を転送する際の転送条件を更に含み、前記複数の通信端末は、他の通信端末に受信した広告情報を転送可能であるか否かを示す転送可能条件を転送可能条件記憶手段に記憶するステップと、他の通信端末との通信開始があるか否かを判定するステップと、他の通信端末との通信開始がある場合に、前記転送可能条件記憶手段から転送可能条件を読み出し、前記読み出した他の通信端末の転送可能条件が前記広告情報の転送条件を満足しているかを判定するステップと、前記他の通信端末の転送可能条件が前記広告情報の転送条件を満足している場合、前記広告情報を前記他の通信端末に転送するステップとを更に含むことを特徴とする。
【０００７】
本発明は、上記の発明において、前記広告情報は、ある通信端末から他の通信端末への広告情報の転送回数を更に含み、前記複数の通信端末は、前記他の通信端末に前記広告情報を転送する度に、前記広告情報の転送回数を減じるステップと、前記広告情報の転送回数が転送可能な回数である場合に、前記他の通信端末に前記広告情報を転送するステップとを更に含むことを特徴とする。
【０００８】
また、上述した課題を解決するために、本発明は、ネットワークを介してアクセスする複数の通信端末に対してサーバ装置から広告情報を提供する広告提供方法であって、前記サーバ装置は、少なくとも、広告内容、表示条件を含む広告情報を受信するステップと、前記複数の通信端末の各々の利用者の属性・嗜好情報を属性・嗜好情報記憶手段に記憶するステップと、通信端末毎に過去の通信内容に基づいて抽出された表示可能条件を表示可能条件記憶手段に記憶するステップと、前記属性・嗜好情報記憶手段から複数の通信端末の各々の利用者の属性・嗜好情報を読み出し、前記読み出した複数の通信端末の各々の利用者の属性・嗜好情報と、前記受信した広告情報の広告内容とを比較するステップと、前記比較結果に基づいて最も高い合致度が得られた通信端末を選択するステップと、前記選択された通信端末の表示可能条件が前記広告情報の表示条件を満足しているかを判定するステップと、前記表示可能条件が前記広告情報の表示条件を満足している場合、前記選択された通信端末に対して前記広告情報を表示させるステップとを含むことを特徴とする。
【０００９】
本発明は、上記の発明において、前記広告情報は、ある通信端末から他の通信端末へ広告情報を転送する際の転送条件を更に含み、前記サーバ装置は、前記複数の通信端末の各々に対して広告情報を転送可能であるか否かを示す転送可能条件を記憶するステップと、通信端末間での通信があるか否かを判定するステップと、通信端末間での通信がある場合に、通信相手の通信端末の転送可能条件が前記広告情報の転送条件を満足しているかを判定するステップと、前記通信相手の通信端末の転送可能条件が前記広告情報の転送条件を満足している場合、前記広告情報を前記他の通信端末に転送するステップとを更に含むことを特徴とする。
【００１０】
本発明は、上記の発明において、前記広告情報は、ある通信端末から他の通信端末への広告情報の転送回数を更に含み、前記サーバ装置は、前記通信相手の通信端末に前記広告情報を転送する度に、前記広告情報の転送回数を減じるステップと、前記広告情報の転送回数が転送可能な回数である場合に、前記通信相手の通信端末に前記広告情報を転送するステップとを更に含むことを特徴とする。
【００１１】
本発明は、上記の発明において、前記表示可能条件は、前記複数の通信端末の各々の通信履歴に基づいて抽出された、通信端末の各々の利用者の属性、嗜好に基づくキーワードの出現率または出現回数を含むことを特徴とする。
【００１２】
本発明は、上記の発明において、前記転送可能条件は、前記複数の通信端末の各々の通信履歴に基づいて抽出された、通信端末の各々の利用者の属性、嗜好に基づくキーワードの出現率または出現回数を含むことを特徴とする。
【００１３】
また、上述した課題を解決するために、本発明は、サーバ装置からネットワークを介して複数の通信端末に広告情報を提供する広告提供システムであって、前記サーバ装置は、少なくとも、広告内容、表示条件を含む広告情報を受信する第１の受信手段と、前記複数の通信端末の各々の利用者の属性・嗜好情報を記憶する属性・嗜好情報記憶手段と、前記属性・嗜好情報記憶手段から複数の通信端末の各々の利用者の属性・嗜好情報を読み出し、前記読み出した複数の通信端末の各々の利用者の属性・嗜好情報と、前記第１の受信手段が受信した広告情報の広告内容とを比較する比較手段と、前記比較手段による比較結果に基づいて最も高い合致度が得られた通信端末を選択する選択手段と、前記選択手段により選択された通信端末に対して前記広告情報を送信する送信手段とを具備し、前記複数の通信端末は、通信端末毎に過去の通信内容に基づいて抽出された表示可能条件を記憶する表示可能条件記憶手段と、前記サーバ装置からの広告情報を受信する第２の受信手段と、前記表示可能条件記憶手段から表示可能条件を読み出し、前記読み出した表示可能条件が前記第２の受信手段が受信した広告情報の表示条件を満足しているかを判定する判定手段と、前記表示可能条件が前記広告情報の表示条件を満足している場合、前記広告情報を表示する表示制御手段とを具備することを特徴とする。
【００１４】
また、上述した課題を解決するために、本発明は、ネットワークを介してアクセスする複数の通信端末に対してサーバ装置から広告情報を提供する広告提供システムであって、前記サーバ装置は、少なくとも、広告内容、表示条件を含む広告情報を受信する受信手段と、前記複数の通信端末の各々の利用者の属性・嗜好情報を記憶する属性・嗜好情報記憶手段と、通信端末毎に過去の通信内容に基づいて抽出された表示可能条件を記憶する表示可能条件記憶手段と、前記属性・嗜好情報記憶手段から複数の通信端末の各々の利用者の属性・嗜好情報を読み出し、前記読み出した複数の通信端末の各々の利用者の属性・嗜好情報と、前記受信手段が受信した広告情報の広告内容とを比較する比較手段と、前記比較結果に基づいて最も高い合致度が得られた通信端末を選択する選択手段と、前記選択された通信端末の表示可能条件が前記広告情報の表示条件を満足しているかを判定する判定手段と、前記表示可能条件が前記広告情報の表示条件を満足している場合、前記選択された通信端末に対して前記広告情報を表示させる表示制御手段とを具備することを特徴とする。
【発明の効果】
【００１５】
この発明によれば、サーバ装置により、少なくとも、広告内容、表示条件を含む広告情報を受信すると、複数の通信端末の各々の利用者の属性・嗜好情報と、広告情報の広告内容とを比較し、該比較結果に基づいて最も高い合致度が得られた通信端末を選択し、該選択された通信端末に対して広告情報を送信し、複数の通信端末により、サーバ装置からの広告情報を受信すると、通信端末毎に過去の通信内容に基づいて抽出された表示可能条件が広告情報の表示条件を満足しているかを判定し、表示可能条件が前記広告情報の表示条件を満足している場合、広告情報を表示する。したがって、ネットワークリソースを占有することなく、受け取る側の属性や嗜好などに合致する広告を効率的に提供することができるという利点が得られる。
【００１６】
この発明によれば、サーバ装置により、少なくとも、広告内容、表示条件を含む広告情報を受信すると、複数の通信端末の各々の利用者の属性・嗜好情報と、広告情報の広告内容とを比較し、該比較結果に基づいて最も高い合致度が得られた通信端末を選択し、該選択された通信端末の表示可能条件が広告情報の表示条件を満足しているかを判定し、表示可能条件が前記広告情報の表示条件を満足している場合、選択された通信端末に対して広告情報を表示させる。したがって、ネットワークリソースを占有することなく、受け取る側の属性や嗜好などに合致する広告を効率的に提供することができるという利点が得られる。
【発明を実施するための最良の形態】
【００１７】
以下、本発明の一実施形態を、図面を参照して説明する。
【００１８】
Ａ．第１実施形態
図１は、本発明の第１実施形態による通信システムの構成を示すブロック図である。図１において、１は広告主が管理する広告端末、２はサービス提供事業者が管理するサービス管理サーバ、３−１〜３−３は通信端末である。広告端末１は、広告内容、表示条件、転送条件および転送回数を含む広告情報２０をサービス管理サーバ２に送信する。サービス管理サーバ２は、通信端末３−１〜３−３毎に予め記憶しておいた、利用者の属性、嗜好、広告情報に含まれる広告内容に従って、最も適切な利用者の通信端末に受信した広告情報２０を送信する。
【００１９】
通信端末３−１〜３−３は、利用者の端末であり、ネットワーク６を介して、サービス管理サーバ２から広告情報を受信し、通信履歴から予め抽出された嗜好キーワードの出現率（または出現回数）、広告情報に含まれる表示条件に従って、広告情報の表示を制御したり、広告情報に含まれる転送条件および転送回数に従って、他の通信端末に広告情報の転送を制御する。
【００２０】
また、図２（ａ）、（ｂ）は、広告情報の一例を示す概念図である。図２（ａ）において、２０は釣りに関する広告情報であり、図２（ｂ）において、２１は囲碁大会案内の広告情報である。広告情報２０、２１は、各々、広告内容、該広告内容を表示する表示条件、他の通信端末への転送条件、転送回数からなる。
【００２１】
また、図３は、サービス管理サーバ２のデータベースの一例を示す概念図である。２２は各通信端末３−１〜３−３がサービス管理サーバ２との契約時に提示した属性・嗜好データであり、サービス管理サーバ２のデータベース（管理データベース）に保持されている。
【００２２】
また、図４は、通信端末３−１のデータベースの一例を示す概念図である。図において、２３〜３０は通信端末３−１のデータベース（端末データベース）であり、２３は通信内容から抽出された嗜好に関するフィールド、２４は抽出した嗜好キーワード、２５は全ての通信時の嗜好キーワードの出現率、２６および２７は通信端末３−２、３−３との通信時の嗜好キーワードの出現率（または出現回数）、２８は通信端末３−１で直接入力した通信端末３のユーザの属性フィールド、２９は属性キーワード、３０は任意に設定した出現率である。なお、各数値は、百分率で示されている。
【００２３】
通信端末３−１〜３−３には、通信端末３−１〜３−３の、メールやチャットを解析して、図４に示すテーブルを生成する機能がある。サービス管理サーバ２は、キーワード情報を、通信端末３、４および５のそれぞれに送信する。このキーワード情報とは、例えば、「つり」、「囲碁」、「野球」、「鯛」などのキーワードを含む情報である。サービス管理サーバ２からキーワード情報を受信したそれぞれの通信端末３−１〜３−３は、受信したキーワード情報に基づいて、嗜好に関するフィールド２３を有するテーブルを生成する。また、サービス管理サーバ２からキーワード情報を受信したそれぞれの通信端末３−１〜３−３は、既存のテーブルに、受信したキーワード情報に基づいて、嗜好に関するフィールド２３を追加する。
【００２４】
次に、それぞれの通信端末３−１〜３−３は、他の通信端末と通信をする時に、その通信内容であるメールやチャットの内容に、嗜好に関するフィールド２３の嗜好キーワード２４が含まれているか否かを検出する。そして、含まれていることを検出した場合には、それぞれの通信端末３−１〜３−３は、他の通信端末との嗜好に関するフィールド２３の対応する嗜好キーワード２４の出現率を算出してテーブルに記憶する。
【００２５】
なお、通信端末３−１〜３−３は、予めサービス管理サーバ２に登録されているものとして説明する。
【００２６】
また、上述したサービス管理サーバ１は、第１の受信手段、属性・嗜好情報記憶手段、比較手段、選択手段、送信手段を備えている。第１の受信手段は、少なくとも、広告内容、表示条件を含む広告情報を受信する。属性・嗜好情報記憶手段は、複数の通信端末の各々の利用者の属性・嗜好情報を記憶する。比較手段は、複数の通信端末の各々の利用者の属性・嗜好情報と、広告情報の広告内容とを比較する。選択手段は、上記比較手段による比較結果に基づいて最も高い合致度が得られた通信端末を選択する。送信手段は、上記選択手段により選択された通信端末に対して広告情報を送信する。
【００２７】
また、上述した通信端末３−１〜３−３は、表示可能条件記憶手段、第２の受信手段、判定手段、表示制御手段を備えている。表示可能条件記憶手段は、通信端末毎に過去の通信内容に基づいて抽出された表示可能条件を記憶する。第２の受信手段は、サーバ装置からの広告情報を受信する。判定手段は、表示可能条件が上記広告情報の表示条件を満足しているかを判定する。表示制御手段は、表示可能条件が上記広告情報の表示条件を満足している場合、上記広告情報を表示する。
【００２８】
また、上記広告情報は、ある通信端末から他の通信端末へ広告情報を転送する際の転送条件を更に含み、上述した通信端末３−１〜３−３は、転送可能条件記憶手段、判定手段、転送手段を備えていてもよい。転送可能条件記憶手段は、他の通信端末に受信した広告情報を転送可能であるか否かを示す転送可能条件を記憶する。判定手段は、他の通信端末との通信開始があるか否かを判定するとともに、他の通信端末との通信開始がある場合に、上記他の通信端末の転送可能条件が前記広告情報の転送条件を満足しているかを判定する。転送手段は、他の通信端末の転送可能条件が上記広告情報の転送条件を満足している場合、上記広告情報を上記他の通信端末に転送する。
【００２９】
また、上記広告情報は、ある通信端末から他の通信端末への広告情報の転送回数を更に含み、上述した通信端末３−１〜３−３は、転送回数減算手段、転送手段を備えていてもよい。転送回数減算手段は、他の通信端末に上記広告情報を転送する度に、上記広告情報の転送回数を減じる。転送手段は、上記広告情報の転送回数が転送可能な回数である場合に、上記他の通信端末に上記広告情報を転送する。
【００３０】
なお、上述した管理データベースは、上記属性・嗜好情報記憶手段に相当し、上述した端末データベースは、上記表示可能条件記憶手段、転送可能条件記憶手段に相当する。
【００３１】
次に、上述した第１実施形態の動作について説明する。ここで、図５は、本第１実施形態によるサービス管理サーバ２の動作を説明するためのフローチャートである。また、図６は、本第１実施形態による通信端末の表示処理を説明するためのフローチャートである。
【００３２】
いま、広告端末１からサービス管理サーバ２へ広告情報２０が送られてきたとする。サービス管理サーバ２は、広告情報２０を受信し（ステップＳ１０）、サービス管理サーバ２との契約時に提示された通信端末毎の属性・嗜好データ２２と広告情報２０の広告内容とを比較する（ステップＳ１１）。
【００３３】
次に、サービス管理サーバ２は、比較結果に従って、属性・嗜好データ２２と広告情報２０との合致度が高い通信端末を選択する（ステップＳ１２）。例えば、広告情報２０が図２（ａ）に示す内容であり、通信端末３−１〜３−３の属性・嗜好データ２２が図３に示す内容であった場合、通信端末３−１の属性・嗜好データ２２が、広告情報２０における、“つり”および“鯛”と一致し、他の通信端末３−２、３−３よりも合致度が高い。そこで、サービス管理サーバ２は、合致度の高い通信端末３−１を選択する。そして、広告情報２０を選択した通信端末３−１へ送信する（ステップＳ１３）。
【００３４】
通信端末３−１では、サービス管理サーバ２から広告情報２０を受信し（ステップＳ２０）、広告情報２０と、通信端末３−１に保持されている嗜好キーワード２４および属性キーワード２９とを比較する（ステップＳ２１）。次に、合致するキーワードの出現率の合計値（表示可能条件）をデータベースから取得し（ステップＳ２２）、合致するキーワードの出現率の合計値である表示可能条件が広告情報の表示条件を満足しているか否か（表示可能条件＞表示条件）を判定する（ステップＳ２３）。そして、表示可能条件が広告情報の表示条件を満足していない場合には、当該処理を終了する。一方、表示可能条件が広告情報の表示条件を満足している場合には、広告情報の広告内容を表示し（ステップＳ２４）、当該処理を終了する。
【００３５】
例えば、図４に示すように、合致するキーワード“つり”および“鯛”の出現率の合計値である表示可能条件が３０％であり、図２（ａ）に示すように、広告情報２０の表示条件が３５％である場合には、表示可能条件が広告情報の表示条件を満足していないので広告内容を表示することなく、当該処理を終了する。
【００３６】
上記表示処理は、通信端末３−２、３−３においても、通信端末３−１と同様に行われ、広告内容の表示（または非表示）が行われる。
【００３７】
次に、通信端末同士での通信時の動作について説明する。ここで、図７は、本実施形態による通信端末における転送処理を説明するためのフローチャートである。
【００３８】
上述したように、通信端末３−１は、表示可能条件が広告情報の表示条件を満足していない場合には、広告情報２０の広告内容を表示しないが、広告情報２０をその内部にある記憶部に記憶している。以下、通信端末３−１が他の通信端末との通信したときの動作について説明する。
【００３９】
まず、通信端末３−１は、他の通信端末との通信開始があるか否かを判定する（ステップＳ３０）。そして、通信開始がある場合には、記憶されている広告情報２０の転送回数を参照し、転送回数の残りが０より大きい広告条件を有する広告情報２０が記憶されているか否かを判定する（ステップＳ３１）。ここで、条件を満たす広告情報２０が記憶されていない場合には、当該処理を終了する。したがって、広告情報２０の転送は生じない。
【００４０】
一方、上記条件を満たす広告情報２０が記憶されている場合には、広告情報２０の広告内容と、これまでの通信時に取得した、相手側の通信端末の嗜好キーワードとを比較する（ステップＳ３２）。次に、合致する嗜好キーワードの出現率の合計値（転送可能条件）をデータベースから取得し（ステップＳ３３）、合致する嗜好キーワードの出現率の合計値（転送可能条件）が広告情報の転送条件を満足しているか否か（転送可能条件＞転送条件）を判定する（ステップＳ３４）。
【００４１】
そして、転送可能条件が広告情報の転送条件を満足していない場合には、当該処理を終了する。一方、転送可能条件が広告情報の転送条件を満足している場合には、広告情報２０の転送回数を減じ（ステップＳ３５）、該転送回数を減じた広告情報２０を相手側の通信端末に送信する（ステップＳ３６）。次に、自端末から相手側の通信端末に広告情報２０を送信した旨を、サービス管理サーバ２に通知し（ステップＳ３７）、当該処理を終了する。
【００４２】
例えば、通信端末３−１が通信端末３−２と通信する場合には、通信端末３−１は、これまでの通信端末３−２との通信時に取得した、図４に示す嗜好キーワード２６と広告情報２０の広告内容とを比較し、合致する嗜好キーワード“つり”および“鯛”の出現率の合計値（６０％）が、図２（ａ）に示すように、広告情報２０の転送条件（３０％）を満たしているので、広告情報２０の転送回数を減じ、該転送回数を減じた広告情報２０を通信端末３−２へ送信し、広告情報２０を通信端末３−１から通信端末３−２へ転送したことをサービス管理サーバ２に通知する。
【００４３】
また、通信端末３−１が通信端末３−３と通信する場合には、通信端末３−１は、これまでの通信端末３−３との通信時に取得した、図４に示す嗜好キーワード２７と広告情報２０の広告内容とを比較する。この場合、合致する嗜好キーワード“つり”および“鯛”の出現率の合計値（２０％）が広告情報２０の転送条件（３０％）を満たしていないため、広告情報２０を通信端末３−３に送信しない。
【００４４】
上記転送処理は、通信端末３−１から広告情報２０を受信した通信端末３−２、３−３においても、通信端末３−１と同様に行われ、広告情報２０の他の通信端末への転送（または非転送）が行われる。
【００４５】
また、図２（ｂ）に示す広告情報２１がサービス管理サーバ２へ送られてきた場合も、上述した処理と同様に行われる。サービス管理サーバ２は、サービス管理サーバ２との契約時に提示された通信端末３−１〜３−３毎の属性・嗜好データ２２と広告情報２１の広告内容とを比較する。比較結果において、通信端末３−１の属性・嗜好データ２２が、広告情報２１の“囲碁”および“大会”が一致し、他の端末よりも合致度が高い。
【００４６】
そのため、サービス管理サーバ２は、合致度の高い通信端末３−１を選択して、広告情報２１を送信する。通信端末３−１では、広告情報２１の広告内容と通信端末３−１のデータベースに記憶されている嗜好キーワード２４とを比較する。この場合、合致する嗜好キーワード“囲碁”の出現率は、広告情報２１の表示条件を満足していないが、図４に示す属性２８のキーワード“囲碁サークル”の出現率と合計すれば、広告情報２１の表示条件を満足しているので、広告情報２０の広告内容を表示する。
【００４７】
また、通信端末３−１が通信端末３−３と通信するとき、通信端末３−１は、これまでの通信端末３−３との嗜好キーワード２７と広告情報２０の広告内容とを比較する。この場合、合致するキーワード“囲碁”の出現率（６０％）が広告情報２１の転送条件（３０％）を満たしているので、広告情報２１を通信端末３−３に送信し、サービス管理サーバ２へ広告情報２１を送信したことを通知する。
【００４８】
なお、上述した実施形態において、通信端末３−１は、属性２８のキーワード“囲碁サークル”に、キーワード“囲碁”が含まれているか否かを判定することにより、広告内容と通信端末３に記憶されている属性２８のキーワードとを比較するようにしてもよい（部分一致）。
【００４９】
また、通信端末３−１は、類義語辞書記憶部を備えていてもよく、該類義語辞書記憶部からキーワード“囲碁”を検索キーとして類義語として“囲碁サークル”を含む類義語を抽出し、抽出した類義語と、属性２８のキーワード“囲碁サークル”とが一致することを判定することにより、広告内容と通信端末３に記憶されている属性２８のキーワードとを比較するようにしてもよい。また、通信端末３−１〜３−３は、広告情報２１を表示したことを示す情報を、サービス管理サーバ２に送信するようにしてもよい。
【００５０】
Ｂ．第２実施形態
図８は、本発明の第２実施形態による通信システムの構成を示すブロック図である。なお、図１に対応する部分には同一の符号を付けて説明を省略する。図において、３２はコミュニケーションサーバであり、後述するように、通信端末３−１〜３−３毎に予め記憶しておいた、利用者の属性、嗜好情報、広告情報に含まれる広告内容に従って、最も適切な利用者の通信端末で広告情報２０を表示させたり、通信端末３−１〜３−３の通信履歴から抽出された嗜好キーワードの出現率（または出現回数）広告情報に含まれる表示条件に従って、広告情報の表示を制御したり、広告情報に含まれる転送条件および転送回数に従って、他の通信端末に広告情報の転送を制御する。
【００５１】
図９は、広告情報の一例を示す概念図である。広告情報４０は、広告内容、該広告内容を表示する表示条件、他の通信端末への転送条件、転送回数からなる。
【００５２】
図１０は、コミュニケーションサーバ３２のデータベースの一例を示す概念図である。同図において、４２は通信端末がコミュニケーションサーバ３２との契約時に提示した属性・嗜好データであり、４３〜４７は通信端末３−２に関するデータベース（端末管理データベース）であり、４３は通信内容から抽出された嗜好に関するフィールド、４４は抽出した嗜好キーワード、４５は全ての通信時の嗜好キーワードの出現率、４６および４７は通信端末３−２および通信端末３−３との通信時の嗜好キーワードの出現率である。他の通信端末３−１、３−３に関するデータベ−スも同様にコミュニケーションサーバ３２に記憶されている。
【００５３】
また、上述したコミュニケーションサーバ３２は、受信手段、属性・嗜好情報記憶手段、表示可能条件記憶手段、比較手段、選択手段、判定手段、表示制御手段を備えている。受信手段は、少なくとも、広告内容、表示条件を含む広告情報を受信する。属性・嗜好情報記憶手段は、複数の通信端末の各々の利用者の属性・嗜好情報を記憶する。表示可能条件記憶手段は、通信端末毎に過去の通信内容に基づいて抽出された表示可能条件を記憶する。比較手段は、複数の通信端末の各々の利用者の属性・嗜好情報と、広告情報の広告内容とを比較する。選択手段は、比較結果に基づいて最も高い合致度が得られた通信端末を選択する。判定手段は、選択された通信端末の表示可能条件が上記広告情報の表示条件を満足しているかを判定する。表示制御手段は、表示可能条件が広告情報の表示条件を満足している場合、選択された通信端末に対して上記広告情報を表示させる。
【００５４】
また、上記広告情報は、ある通信端末から他の通信端末へ広告情報を転送する際の転送条件を更に含み、上述したコミュニケーションサーバ３２は、転送可能条件記憶手段、判定手段、転送手段を備えていてもよい。転送可能条件記憶手段は、複数の通信端末の各々に対して広告情報を転送可能であるか否かを示す転送可能条件を記憶する。判定手段は、通信端末間での通信があるか否かを判定するとともに、通信端末間での通信がある場合に、通信相手の通信端末の転送可能条件が上記広告情報の転送条件を満足しているかを判定する。転送手段は、通信相手の通信端末の転送可能条件が上記広告情報の転送条件を満足している場合、上記広告情報を上記他の通信端末に転送する。
【００５５】
また、広告情報は、ある通信端末から他の通信端末への広告情報の転送回数を更に含み、上述したコミュニケーションサーバ３２は、転送回数減算手段、転送手段を備えていてもよい。転送回数減算手段は、通信相手の通信端末に上記広告情報を転送する度に、該広告情報の転送回数を減じる。転送手段は、広告情報の転送回数が転送可能な回数である場合に、上記通信相手の通信端末に前記広告情報を転送する。
【００５６】
また、上記表示可能条件は、上記複数の通信端末の各々の通信履歴に基づいて抽出された、通信端末の各々の利用者の属性、嗜好に基づくキーワードの出現率または出現回数を含むものとする。
【００５７】
また、上記転送可能条件は、上記複数の通信端末の各々の通信履歴に基づいて抽出された、通信端末の各々の利用者の属性、嗜好に基づくキーワードの出現率または出現回数を含むものとする。
【００５８】
なお、上述した端末管理データベースは、上記属性・嗜好情報記憶手段、表示可能条件記憶手段、転送可能条件記憶手段に相当する。
【００５９】
次に、上述した実施形態の動作について説明する。ここで、図１１は、本第２実施形態によるコミュニケーションサーバ３２の動作を説明するためのフローチャートである。
【００６０】
３名の利用者は、ログインなどにより利用者認証を行って、通信端末３−１〜３−３を用いてコミュニケーションサーバ３２が開いている「おしゃべり広場」に接続する。通信端末３−１〜３−３は、コミュニケーションサーバ３２を介して互いに通信を行っている。このとき、広告端末１からコミュニケーションサーバ３２へ図９の広告情報４０が送られてきたとする。
【００６１】
コミュニケーションサーバ３２は、コミュニケーションサーバ３２との契約時に提示された通信端末利用者毎の属性・嗜好データ４２と広告情報４０の広告内容を比較し（ステップＳ４１）、合致度の高い通信端末を選択する（ステップＳ４２）。例えば、広告情報４０が図９に示す内容であり、通信端末３−１の属性・嗜好データ４２が、図１０に示す内容であった場合、通信端末３−１の属性・嗜好データ４２が、広告情報２０における、“つり”および“鯛”と一致し、他の通信端末３−２、３−３よりも合致度が高い。そこで、コミュニケーションサーバ３２は、合致度の高い通信端末３−１を選択する。
【００６２】
次に、コミュニケーションサーバ３２は、選択した通信端末の利用者に関するデータベースを読み出し、広告情報４０の広告内容と選択した通信端末の利用者に関するデータベースの嗜好キーワードとを比較する（ステップＳ４３）。この場合、通信端末３−１が選択されているので、広告情報４０の広告内容と通信端末３−１の利用者に関するデータベース４３の嗜好キーワード４４とを比較する。
【００６３】
次に、合致する嗜好キーワードの出現率の合計値（表示可能条件）が広告情報４０の表示条件を満足しているか否かを判定し（ステップＳ４４）、表示可能条件が表示条件を満足している場合には、選択した通信端末に広告情報４０の広告内容を送信して表示させる（ステップＳ４５）。例えば、通信端末３−１が選択された場合には、合致するキーワード“つり”および“鯛”の出現率の合計値（表示可能条件：４０％）が広告情報４０の表示条件（３５％）を満足しているので、通信端末３−１へ広告情報４０の内容を送信して表示させる。
【００６４】
次に、通信端末同士での通信時におけるコミュニケーションサーバ３２の動作について説明する。ここで、図１２は、本第２実施形態による通信端末における転送処理を説明するためのフローチャートである。
【００６５】
まず、コミュニケーションサーバ３２は、通信端末間での通信があるか否かを判定する（ステップＳ５０）。そして、通信端末間での通信がある場合には、記憶されている広告情報４０の転送回数を参照し、転送回数の残りが０より大きい広告条件を有する広告情報４０が記憶されているか否かを判定する（ステップＳ５１）。ここで、条件を満たす広告情報４０が記憶されていない場合には、当該処理を終了する。したがって、広告情報４０の転送は生じない。
【００６６】
一方、上記条件を満たす広告情報４０が記憶されている場合には、コミュニケーションサーバ３２は、通信を行っている通信端末の利用者の嗜好キーワードと広告内容とを比較する（ステップＳ５２）。例えば、通信を行っている通信端末が通信端末３−１と通信端末３−２の場合には、これまでの通信端末３−１の利用者と、通信端末３−２の利用者との嗜好キーワード４６と広告内容とを比較する。
【００６７】
次に、合致する嗜好キーワードの出現率の合計値（転送可能条件）をデータベースから取得し（ステップＳ５３）、合致する嗜好キーワードの出現率の合計値（転送可能条件）が広告情報の転送条件を満足しているか否か（転送可能条件＞転送条件）を満たしているか否かを判定する（ステップＳ５４）。そして、転送可能条件が転送条件を満たしている場合には、広告情報４０の転送回数を減じ（ステップＳ５５）、該転送回数を減じた広告情報４０を相手側の通信端末の利用者のデータベースへ転送する（ステップＳ５６）。
【００６８】
例えば、通信端末３−１と通信端末３−２の場合には、合致する嗜好キーワード“つり”および“鯛”の出現率の合計値（転送可能条件：６０％）が広告情報４０の転送条件（３０％）を満たしているので、広告情報４０を通信端末３−２の利用者のデータベースへ転送する。
【００６９】
一方、通信端末３−１が通信端末３−３と通信する場合には、通信端末３−１の利用者と通信端末３−３の利用者との通信キーワード４７と広告内容を比較すると、合致するキーワード“つり”および“鯛”の出現率の合計値（転送可能条件：２０％）が広告情報４０の転送条件（３０％）を満たしていないため、通信端末３−３の利用者のデータベースヘは転送しない。
【００７０】
上述したように、本第２実施形態では、コミュニケーションサーバ３２内の通信端末３−１〜３−３のデータベース間を広告情報４０が移動し、表示可能条件を満たした場合のみ、該当の通信端末へ広告内容を送信して表示させる。
【００７１】
なお、上述した第１、第２実施形態において、広告端末１は、サービス管理サーバ２またはコミュニケーションサーバ３２へ広告情報を送信する毎に広告料金を支払い、サービス管理サーバ２またはコミュニケーションサーバ３２では、広告情報２０、４０の転送および表示を行った通信端末毎に報酬ポイントを付加し、報酬ポイントが貯まれば、商品などとの交換を可能とするようにしてもよい。
【００７２】
上述した第１、第２実施形態によれば、ユーザの嗜好に合致する内容の広告のみを通信端末に送信することで、広告主は、広告内容に合ったユーザに絞って広告を提供することができる。また、転送条件、転送回数を指定して、通信端末間の通信で広告情報を転送させることにより、広告の拡大範囲、広告費用に見合った広告を提供することができる。
【００７３】
また、ユーザは、自分に関係がある広告のみを表示させることができ、大量の無関係な広告を見なくて済み、さらに他のユーザヘ広告情報を中継することで報酬を得ることができる利点がある。また、通信事業者は、大量の広告情報がネットワークリソースを占有することがなく、リソースを効率的に使用でき、スパムによるイメージダウンを抑える利点がある。
【００７４】
また、上述した実施形態において、一定期間、転送条件を満たす他の通信端末が検出できない場合には、表示可能条件と広告内容との合致度合いを下げるようにしてもよい。また、広告内容は、広告端末１またはサービス管理サーバ２ヘのアクセス情報を含んでいてもよい。また、広告情報は、通信端末の利用者に対するアンケート情報を含んでいてもよい。また、広告情報に広告期間を含ませ、転送回数を満了するか、または、広告期間を終了した場合には、該広告情報を受信した通信端末で廃棄するようにしてもよい。
【００７５】
また、上述した実施形態において、受信側の通信端末において、送信側の通信端末から広告情報を受信する場合に、既に受信済みの広告情報であれば、該広告情報の受信を拒否するようにしてもよい。
【００７６】
なお、上述した第１、第２実施形態において、サービス管理サーバ２のデータベース（管理データベース）、または、コミュニケーションサーバ３２のデータベース（端末管理データベース）、または、通信端末３−１〜３−３のデーベース（端末データベース）は、ハードディスク装置や光磁気ディスク装置、フラッシュメモリ等の不揮発性メモリやＲＡＭ（Random Access Memory）のような揮発性のメモリ、あるいはこれらの組み合わせにより構成されてもよい。
【００７７】
また、サービス管理サーバ２、コミュニケーションサーバ３２、または、通信端末３−１〜３−３は、専用のハードウェアにより実現されるものであってもよく、また、これらサービス管理サーバ２、コミュニケーションサーバ３２、または、通信端末３−１〜３−３は、ＣＰＵ（中央演算装置）および記憶部により構成され、サービス管理サーバ２、コミュニケーションサーバ３２、または、通信端末３−１〜３−３の機能を実現するためのプログラムを記憶部にロードして実行することによりその機能を実現させるものであってもよい。
【００７８】
また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。また、上記プログラムは、このプログラムを記憶装置等に格納したコンピュータシステムから、伝送媒体を介して、あるいは、伝送媒体中の伝送波により他のコンピュータシステムに伝送されてもよい。
【００７９】
ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理を既に記録されているプログラムとの組み合わせで実現できるもの、いわゆる差分ファイル（差分プログラム）であってもよい。
【００８０】
また、サービス管理サーバ２、コミュニケーションサーバ３２、または、通信端末３−１〜３−３には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
【産業上の利用可能性】
【００８１】
本発明は、移動体通信網やインターネットなどの通信において広告を行う広告産業に利用できる可能性がある。
【図面の簡単な説明】
【００８２】
【図１】本発明の第１実施形態による通信システムの構成を示すブロック図である。
【図２】広告情報の一例を示す概念図である。
【図３】サービス管理サーバ２のデータベースの一例を示す概念図である。
【図４】通信端末３−１のデータベースの一例を示す概念図である。
【図５】本第１実施形態によるサービス管理サーバ２の動作を説明するためのフローチャートである。
【図６】本第１実施形態による通信端末の表示処理を説明するためのフローチャートである。
【図７】本実施形態による通信端末における転送処理を説明するためのフローチャートである。
【図８】本発明の第２実施形態による通信システムの構成を示すブロック図である。
【図９】広告情報の一例を示す概念図である。
【図１０】コミュニケーションサーバ３２のデータベースの一例を示す概念図である。
【図１１】本第２実施形態によるコミュニケーションサーバ３２の動作を説明するためのフローチャートである。
【図１２】本第２実施形態による通信端末における転送処理を説明するためのフローチャートである。
【符号の説明】
【００８３】
１  広告端末
２  サービス管理サーバ（サーバ装置）
３−１〜３−３  通信端末
６  ネットワーク
３２  コミュニケーションサーバ（サーバ装置）
２０、２１、４０  広告情報
【図１】
2008134951.tif 000003
【図２】
2008134951.tif 000004
【図３】
2008134951.tif 000005
【図４】
2008134951.tif 000006
【図５】
2008134951.tif 000007
【図６】
2008134951.tif 000008
【図７】
2008134951.tif 000009
【図８】
2008134951.tif 000010
【図９】
2008134951.tif 000011
【図１０】
2008134951.tif 000012
【図１１】
2008134951.tif 000013
【図１２】
2008134951.tif 000014